(57)【要約】      （修正有）【課題】コイルに対して位置ずれすることを確実に防止できるコイル専用保護カバー部材を提供する。【解決手段】金属線材４Ａを巻いて所定長さを有する略円筒状に形成したコイル４を中心線が水平方向を向くように配置し、配置したコイル４に上方から被せて保護するためのコイル専用保護カバー部材１であって、可撓性を有するシートによって開口を有する袋状に構成されたカバー体２と、カバー体２の開口２Ｋを閉じる側へ絞るための弾性材３とを備えている。【選択図】図２
0003194553.tif 000002
【実用新案登録請求の範囲】
【請求項１】
金属線材を巻いて所定長さを有する略円筒状に形成したコイルを中心線が水平方向を向くように配置し、該配置したコイルに上方から被せて保護するためのコイル専用保護カバー部材であって、
可撓性を有するシートによって開口を有する袋状に構成されたカバー体と、該カバー体の開口を閉じる側へ絞るための弾性材とを備えていることを特徴とするコイル専用保護カバー部材。
【請求項２】
前記弾性材は、前記カバー体の開口の周縁の略全域に設けられていることを特徴とする請求項１に記載のコイル専用保護カバー部材。
【請求項３】
前記カバー体は、前記コイルの高さ方向下側部分まで覆う大きさに設定されていることを特徴とする請求項１又は２に記載のコイル専用保護カバー部材。
【請求項４】
前記カバー体の内面には、前記コイルの外面との滑りを阻止するための滑り防止部を備えていることを特徴とする請求項１〜３のいずれか１項に記載のコイル専用保護カバー部材。
【考案の詳細な説明】
【技術分野】
【０００１】
本考案は、金属線材を巻いて所定長さを有する略円筒状に形成したコイルを中心線が水平方向を向くように配置し、該配置したコイルに上方から被せて保護するためのコイル専用保護カバー部材に関する。
【背景技術】
【０００２】
従来から、製造された多数のコイルを俵積みして保管している。このように積んでいると、金属線材同士が不測に擦れて金属線材に傷が発生することがある。そのため、コイルに保護カバーを保護カバー用装着装置によって装着することによって、傷の発生を防止している（例えば、特許文献１参照）。
【０００３】
しかしながら、前記保護カバー用装着装置は、非常に高価であるため、実際には、俵積みする前に、コイルの上から作業者が一枚のシートをコイルを覆うように被せて、線材同士が直接擦れることがないようにしているのが現状である。
【先行技術文献】
【特許文献】
【０００４】
【特許文献１】特開平６−３３５７２７号公報
【考案の概要】
【考案が解決しようとする課題】
【０００５】
上記のように、コイルの上から作業者が一枚のシートを単に覆うように被せているだけでは、俵積みする時に、コイルに対してシートが不測に位置ずれしてしまう。そのため、再度コイルに対するシートの位置を修正するか、もしくは位置ずれしないように慎重にコイルを俵積みしなければならず、面倒な作業となり、改善の余地があった。
【０００６】
そこで、本考案は、かかる事情に鑑みてなされたもので、コイルに対して位置ずれすることを確実に防止できるコイル専用保護カバー部材を提供することを課題とする。
【課題を解決するための手段】
【０００７】
本考案に係るコイル専用保護カバー部材は、金属線材を巻いて所定長さを有する略円筒状に形成したコイルを中心線が水平方向を向くように配置し、該配置したコイルに上方から被せて保護するためのコイル専用保護カバー部材であって、可撓性を有するシートによって開口を有する袋状に構成されたカバー体と、該カバー体の開口を閉じる側へ絞るための弾性材とを備えていることを特徴としている。
【０００８】
本考案によれば、中心線が水平方向を向くように配置されたコイルに上方からカバー体の開口を弾性材の絞る力に抗して広げながら、コイルを覆うようにカバー体を被せて装着させる。カバー体の装着後は、弾性材がカバー体の開口を閉じる側へ絞ることによって、カバー体がコイルに対して位置ずれしないように固定できる。このようにカバー体がコイルに固定されているから、コイルを俵積みする時に、カバー体がコイルに対して位置ずれすることがない。そのため、コイルの俵積み作業を容易迅速に行うことができる。また、カバー体の不要時には、カバー体をコイルの上方へ引っ張り上げることによって、カバー体をコイルから迅速に取り外すことができる。
【０００９】
また、本考案に係るコイル専用保護カバー部材は、前記弾性材が、前記カバー体の開口の周縁の略全域に設けられていることが好ましい。
【００１０】
上記のように、弾性材をカバー体の開口の周縁の略全域に設けることによって、コイルの全周に亘って弾性材による締め付け力を発揮させることができ、コイルに対して位置ずれし難いカバー体にすることができる。
【００１１】
また、本考案に係るコイル専用保護カバー部材は、前記カバー体が、前記コイルの高さ方向下側部分まで覆う大きさに設定されていることが好ましい。
【００１２】
上記のように、カバー体を、コイルの高さ方向下側部分まで覆う大きさに設定することによって、コイルに対してカバー体を深く被せることができるから、より一層位置ずれし難いカバー体にすることができる。
【００１３】
また、本考案に係るコイル専用保護カバー部材は、前記カバー体の内面に、前記コイルの外面との滑りを阻止するための滑り防止部を備えていることが好ましい。
【００１４】
上記のように、カバー体の内面に、コイルの外面との滑りを阻止するための滑り防止部を備えることによって、コイルの外面に対してカバー体の内面が滑り難くすることができ、その分、より一層位置ずれし難いカバー体にすることができる。
【考案の効果】
【００１５】
以上の如く、本考案に係るコイル専用保護カバー部材によれば、コイルをカバー体で覆うように装着するだけで、弾性材でカバー体の開口を閉じる側へ絞ってカバー体をコイルに固定することができるので、特にコイルを俵積みする時において、コイルに対して位置ずれすることを確実に防止できる有用なコイル専用保護カバー部材を提供することができる。
【図面の簡単な説明】
【００１６】
【図１】本考案のコイル専用保護カバー部材を示し、（ａ）は側面図、（ｂ）は底面図である。
【図２】同コイル専用保護カバー部材をコイルに装着した状態を示し、（ａ）は正面図、（ｂ）は側面図である。
【図３】同コイル専用保護カバー部材を装着した３個のコイルを俵積みした状態を示す正面図である。
【図４】コイルに別の形態のコイル専用保護カバー部材を装着した正面図である。
【考案を実施するための形態】
【００１７】
以下、本考案に係るコイル専用保護カバー部材について、図面に基づいて説明する。このコイル専用保護カバー部材は、図１（ａ），（ｂ）に示すように、可撓性を有するシートによって開口２Ｋを有する袋状に構成されたカバー体２と、カバー体２の開口２Ｋを閉じる側へ絞るための弾性材３とを備えている。カバー体２をコイル４（図２（ａ），（ｂ）参照）に上方から被せることによって、コイル４を保護することができる。
【００１８】
コイル４は、図２（ａ），（ｂ）に示すように、金属線材４Ａを巻いて所定長さを有する略円筒状に形成されている。そして、製造された多数のコイル４は、俵積みして保管される。例えば、図３に３個のコイル４，４，４を上下２段に俵積みした状態を示している（３段以上の多段に俵積みしてもよい）。このようにコイル４を俵積みした時に、コイル４，４，４のそれぞれに、カバー体２を被せておけば、コイル４にカバー体２が固定できるので、カバー体２がコイルに対して位置ずれすることがない。そのため、コイル４へのカバー体２の装着作業を容易迅速に行うことができる。しかも、カバー体２によって保護されたコイル４，４，４の金属線材４Ａ，４Ａ同士が直接擦れることがなく、コイル表面に傷が付くことを防止することができる。図示していないが、金属線材４Ａを巻いて略円筒状になったコイル４は、長手方向において隣り合う金属線材４Ａがバラバラにならないように複数の結束バンド（図示せず）で結束されている。ここでは、コイル４を俵積みする場合を示しているが、俵積みしない場合であってもよい。
【００１９】
カバー体２は、耐熱性材料であるポリエステル樹脂により可撓性を有するシートに作製してから、袋状に作製される。このように耐熱性材料で構成されている場合には、製造された直後の高温のコイル４にカバー体２を被せても、カバー体２がコイル４の熱によって変形や収縮することがなく、好ましい。
【００２０】
また、カバー体２は、図１（ａ），（ｂ）に示すように、平面視において略長方形状の外形を有し、下端に楕円形状の開口２Ｋを有する袋状に形成されている。そして、カバー体２でコイル４の高さ方向半分の位置よりも下側となる下側部分まで覆う大きさに設定されている。このように、カバー体２を、コイル４の高さ方向下側部分まで覆う大きさに設定することによって、コイル４に対してカバー体２を深く被せることができ、その分、コイル４に対して位置ずれし難いカバー体２にすることができる。
【００２１】
また、カバー体２の内面には、コイル４の外面との滑りを阻止するための滑り防止部５（図の破線で囲まれる部分）を備えている。この滑り防止部５は、ゴムシートを接着剤等を用いて貼り付ける、又は溶融したシリコンゴムやブチルゴム等をカバー体２の内面に塗布してカバー体２に一体形成する。このように、カバー体２の内面に滑り防止部５を備えることによって、コイル４の外面に対してカバー体２の内面が滑り難くすることができ、その分、コイル４に対して位置ずれし難いカバー体２にすることができる。このように構成されたカバー体２は、中心線が水平方向を向くように横置きされたコイル４に上方から被せて装着する。
【００２２】
弾性材３は、帯状のゴムから構成され、カバー体２の開口２Ｋの周縁の略全域に亘るようにカバー体２の開口２Ｋの周縁の内面側に設けられている。この弾性材３をカバー体２の開口２Ｋの周縁の略全域に設けることによって、コイル４の全周に亘って弾性材３による締め付け力を発揮させることができ、コイル４に対して位置ずれし難いカバー体２にすることができる。
【００２３】
このように構成されたコイル専用保護カバー部材１をコイル４に例えば二人の作業者で装着させる場合には、まず、コイル４の上方に開口２Ｋが下方を向いたコイル専用保護カバー部材１を位置させる。この状態においてコイル専用保護カバー部材１の両端を二人の作業者で掴んで互いに引っ張ることによって、開口２Ｋを弾性材３の絞る力に抗して広げながら、コイル４の下側部分まで覆うようにカバー体２を被せることによって、コイル専用保護カバー部材１の装着が完了する。
【００２４】
また、コイル専用保護カバー部材１をコイル４に例えば一人で装着させる場合には、コイル４の長手方向の一端の下側部分まで覆うことができるようにこれに対応するコイル専用保護カバー部材１の一端を被せて仮止めする。この状態から開口２Ｋを広げながら、コイル専用保護カバー部材１の他端をコイル４の長手方向の他端の下側部分まで覆うことができるように被せることによって、コイル専用保護カバー部材１の装着が完了する。
【００２５】
図２（ａ），（ｂ）には、コイル専用保護カバー部材１がコイル４に装着された状態を示している。カバー体２の前後の側面部分２Ａ，２Ｂが、前後端に位置する金属線材４Ａ，４Ａを覆っている。また、カバー体２の左右の側面部分２Ｃ，２Ｄが、前後に並ぶ全ての金属線材４Ａの下端に近い位置、つまり下側部分まで覆っている。
【００２６】
尚、本考案に係るコイル専用保護カバー部材は、上記実施形態に限定されるものではなく、本考案の要旨を逸脱しない範囲で種々の変更が可能である。
【００２７】
前記実施形態では、カバー体２を耐熱性材料であるポリエステル樹脂から作製したが、その他各種の合成樹脂材料で作製してもよい。また、カバー体２に防水加工を施してもよい。また、カバー体２の形状は、コイル４の外形に沿って覆うことができるものが最適であるが、どのような形状であってもよい。
【００２８】
また、前記実施形態では、コイル４の前後端の開口からコイル４を持ち上げるためのリフト部を挿入することができるように、コイル４の前後端の開口を完全に覆うことがないようにカバー体２を構成したが、コイル４の前後端の開口を完全に覆う、又はほぼ覆うカバー体２であってもよい。
【００２９】
また、前記実施形態では、カバー体２の内面に滑り防止部５を備えていたが、滑り防止部５を備えていないカバー体２であってもよい。
【００３０】
また、前記実施形態では、弾性材３を帯状のゴムから構成したが、金属製又は合成樹脂製のバネやスプリング等から弾性材を構成することもできる。
【００３１】
また、前記実施形態では、弾性材３の開口２Ｋを閉じる側へ絞る力によって、コイル４に対してカバー体２が位置ずれすることを防止する構成であったが、更にカバー体２の両端を繋ぐ一対の連結部材６，７をカバー体２の両端に備えることによって、更に位置ずれし難いカバー体２にすることができる。この場合、一方の連結部材６の先端に雄型の面ファスナー８を備え、他方の連結部材７の先端に雄型の面ファスナー８に係脱自在な雌型の面ファスナー９を備えることになる。また、連結部材６，７をロープや紐で構成して実施することもできる。
【符号の説明】
【００３２】
１…コイル専用保護カバー部材、２…カバー体、２Ａ，２Ｂ…前後の側面部分、２Ｃ，２Ｄ…左右の側面部分、２Ｋ…開口、３…弾性材、４…コイル、４Ａ…金属線材、５…滑り防止部、６，７…連結部材、８，９…面ファスナー
【図１】
0003194553.tif 000003
【図２】
0003194553.tif 000004
【図３】
0003194553.tif 000005
【図４】
0003194553.tif 000006